(57)【特許請求の範囲】
【請求項１】
柱及び間柱が立設された横架材に床下地材上の端部を固定する構造であって、
上記床下地材の端部には、上記柱を嵌め込む床下地材欠込み部が形成されている一方、
上記間柱の室内側下端部には、該下端部を欠き込んでなる所定高さの間柱欠込み部が設けられており、
上記床下地材の端部は、上記間柱欠込み部に差し入れられかつ上記床下地材欠込み部に柱が嵌め込まれた状態で上記横架材上に配置され、
上記間柱欠込み部において床下地材の端部上の欠込み空間に、柱の下部間に位置しかつ床下地材の端部を挟んだ状態で上記横架材に固定される内壁下地受材が差し込まれていることを特徴とする床下地材の固定構造。
【請求項２】
請求項１の床下地材の固定構造において、
内壁下地受材に耐力面材からなる内壁下地材が下端部を床下地材上面に当接して固定されていることを特徴とする床下地材の固定構造。
【発明の詳細な説明】
【０００１】
【発明の属する技術分野】
本発明は、建築物の木造軸組構造において地震や台風等による水平力を受けたときに変形や倒壊を防ぐために、柱及び間柱が立設された横架材に床下地材を固定する固定構造に関し、特に、床下地材の施工性を良くするための技術分野に属する。
【０００２】
【従来の技術】
一般に、地震や台風等により水平力を受けたときに建築物は変形しようとするが、その壁が耐力面材や筋交い等の構成要素を有する耐力壁であると、その壁の構成要素により変形の抵抗が生じる。しかし、その場合、床面が変形し易い構造であると、上記耐力壁の下部を固定している床が変形して、建築物の耐震性や耐風性を弱めてしまうことがある。
【０００３】
そのため、近年、図９に示すように、土台、梁、胴差等の横架材ａの上面に床下地材ｂの端部を直接固定する床ダイヤフラム構造が提案されている。ｃは床下地材ｂを受ける根太で、その端部は横架材ａに対し、横架材ａ側面に切欠き形成した切欠部ａ１に嵌め込まれる大入れ落し込み構造により固定されている。
【０００４】
ところで、上記土台や梁、胴差等の横架材には鉛直荷重を受けるための柱が所定間隔で立設され、その柱間に間柱が取り付けられているので、床下地材の端部を柱及び間柱と干渉する部分（両隅及び中間部）で欠き込んで欠込み部を形成する必要がある。その場合、間柱と係る部分も切り欠くので、床下地材端部の欠込み部が多くなり、その加工や施工の手間が煩雑となる。
【０００５】
そこで、従来、間柱は主要な構造材でないことに着目し、図７及び図８に示すように、予め、間柱ｄの室内側下端部を床下地材ｂの厚さ分だけ欠き込んで、その欠込み部ｄ１に柱ｅと当たる部分だけ床下地材ｂの端部を挿入する構造が提案されている。
【０００６】
【発明が解決しようとする課題】
しかしながら、上記従来の構造では、床下地材ｂの端部を間柱ｄ下端部の所定隙間の欠込み部ｄ１に滑り込ませるために、床下地材ｂ側の柱嵌込み用の欠込み部（図示せず）を柱ｅに位置決めしながら、間柱ｄの真横から床下地材ｂを滑らせて欠込み部ｄ１に施工せねばならず、その施工性が悪いという問題があった。
【０００７】
また、内壁下地材を取り付けるための内壁下地受材ｆを配置する場合、その内壁下地受材ｆを柱ｅと間柱ｄとの間に固定する必要があり、内壁下地受材ｆの長さが短くなるのみならず、その必要数も多くなる。すなわち、これら多くの短い内壁下地受材ｆ，ｆ，…をそれぞれ固定する必要があるため、施工の手間がかかるだけでなく、受材ｆ，ｆ，…同士の直線性が保たれずに床下地材ｂが波打つ虞れもあった。
【０００８】
本発明は斯かる諸点に鑑みてなされたものであり、その目的とするところは、上記のように床下地材の端部を間柱の欠込み部に差し込んで施工する構造において、その間柱の欠込み部の構造に改良を加えることにより、床下地材及び内壁下地受材の施工性を向上させるとともに、床下地材の波打ちを防止することにある。
【０００９】
【課題を解決するための手段】
上記の目的の達成のため、この発明では、間柱の室内側下端部に床下地材のみならず内壁下地受材を差込み可能な高さの欠込み部を設けて、その欠込み部に床下地材の端部及び内壁下地受材を重ねて差し込んで固定するようにした。
【００１０】
具体的には、請求項１の発明では、柱及び間柱が立設された横架材上に床下地材の端部を固定する構造として、上記床下地材の端部には、上記柱を嵌め込む床下地材欠込み部が形成されている一方、上記間柱の室内側下端部には、該下端部を欠き込んでなる所定高さの間柱欠込み部が設けられており、上記床下地材の端部は、上記間柱欠込み部に差し入れられかつ上記床下地材欠込み部に柱が嵌め込まれた状態で上記横架材上に配置され、上記間柱欠込み部において床下地材の端部上の欠込み空間に、柱の下部間に位置しかつ床下地材の端部を挟んだ状態で上記横架材に固定される内壁下地受材が差し込まれていることを特徴としている。
【００１１】
上記の構成によれば、床下地材の端部が間柱欠込み部に差し入れられ、その床下地材の端部上の間柱欠込み部に内壁下地受材が差し込まれて固定されているので、上記間柱欠込み部の高さは、床下地材の厚さよりも大きくてそれと内壁下地受材の厚さとの合計以上の高さとなる。このため、この間柱欠込み部に床下地材の端部のみを差し込む場合、床下地材を間柱欠込み部の斜め上方から間柱欠込み部の開口の高さ分だけ傾けながら差し込むことができるようになり、その差込み作業の際の邪魔部分が少なくて差し込み易くなり、よって床下地材の施工性を高めることができる。
【００１２】
また、上記間柱欠込み部に差し入れられた床下地材の端部上の欠込み空間に、柱の下部間に位置する内壁下地受材が差し込まれているので、この内壁下地受材は柱の下部間の全体に亘って延びる１つのものとなり、この１つの内壁下地受材を横架材に固定するだけで、柱及び間柱間に複数の同受材を配置するのと同じ固定構造となる。このことで、間柱で途切れる受材に比べて施工時間が早くなり、内壁下地受材の施工性を良くすることができる。
【００１３】
しかも、柱間にその間隔で内壁下地受材を配置するので、その内壁下地受材による直線性も良好となり、床下地材が波打つのを抑制することができる。
【００１４】
請求項２の発明では、上記内壁下地受材に耐力面材からなる内壁下地材が下端部を床下地材上面に当接して固定されている構造とする。こうすると、内壁下地材で受けた荷重は、内壁下地受材を介して水平荷重として確実に床面に伝えられることとなり、耐震性の高い構造が得られる。
【００１５】
【発明の実施の形態】
図１〜図３は本発明の実施形態に係る床下地材の固定構造を示し、１は木造建築物としての住宅の１階部分における土台で、その上面が全体に亘り略面一となって図外の基礎上に設置されている。この土台１は、住宅の主要な構造強度を受け持つ構造部材を構成する横架材であって、例えば１２０×１２０ｍｍ（１０５×１０５ｍｍでもよい）の木材（製材品）や集成材等の木質系材料からなる。
【００１６】
上記土台１上の隅角部及び中間部には垂直材としての例えば１２０×１２０ｍｍの柱３ａ〜３ｄが、また隣り合う柱３ａ〜３ｄ間の位置に同様の垂直材としての少なくとも１本の例えば６０×１２０ｍｍの間柱４がそれぞれ立設固定されている。上記柱３ａ〜３ｄの間隔は０．９〜２ｍであり、間柱４は柱３ａ〜３ｄ間に３００〜５００ｍｍの間隔で配置される。
【００１７】
上記土台１上には床下地材７が端部にて釘やビス、ねじ等により取付固定されている。この床下地材７は、厚さ９〜４０ｍｍの構造用合板、コンクリートパネル合板、ＯＳＢ、ＭＤＦ、パーティクルボード、大建工業（株）製の商品名「ダイライト」等又はそれらの複合板が使用される。この床下地材７の厚さが１８ｍｍ以下の場合、床にかかる荷重により撓み易いので、土台１に根太をその上面が土台１上面と略面一になるように掛け渡し（その根太の土台１に対する取付構造は図９に示すように、土台１に切欠部を形成して根太の端部を嵌め込む大入れ落し込み構造である）、その上に床下地材７を固定する。床下地材７の厚さが２４ｍｍ以上の場合、根太がなくても荷重に耐え得るので、床下地材７を土台１に掛け渡せばよい。上記釘やビス等の長さは、床下地材７の厚さにより異なるが、概ね土台１に締結できるように床下地材７の厚さの２倍以上が好ましく（３０〜７５ｍｍ）、そのピッチは１００〜８００ｍｍがよい。
【００１８】
図４に示すように、上記床下地材７の端部において、床下地材７を土台１上に固定したときに上記柱３ａ〜３ｄと干渉する部分には、その柱３ａ〜３ｄを嵌め込む床下地材欠込み部８ａ〜８ｄが形成されている。具体的には、例えば床下地材７の一方の長辺側の両隅角部には土台１の隅角部及び中間部にある柱３ａ，３ｂを嵌め込むように例えば６０×６０ｍｍ（柱３ａ，３ｂが１０５×１０５ｍｍの場合には５３×５３ｍｍとする）の略Ｌ字状の欠込み部８ａ，８ｂが、また長辺側の中間部には土台１の中間部にある柱３ｃを嵌め込むように例えば１２０×６０ｍｍ（柱３ｃが１０５×１０５ｍｍの場合には１０５×５３ｍｍとする）の略コ字状の欠込み部８ｃがそれぞれ形成されている。また、床下地材７は、図４で矢印にて示すように、一方の短辺側、つまり図４上側の土台１に向かうＡ方向にスライドした後に、上記一方の長辺側、つまり上記Ａ方向と直交方向で図４左側の土台１に向かうＢ方向にスライドしながら土台１上に施工されるようになっており、その一方の短辺側において床下地材７がＢ方向にスライド移動したときの後側に相当する隅角部には、図４上側の土台１の中間部にある柱３ｄを嵌め込むように略Ｌ字状の欠込み部８ｄが形成され、この欠込み部８ｄは上記Ｂ方向に沿った短辺方向の長さが対応の柱３ｄの幅寸法よりも所定寸法（略２倍）だけ大きくなるように欠き込まれている（例えば１２０×６０ｍｍ。柱３ｄが１０５×１０５ｍｍの場合には１０５×５３ｍｍ）。尚、上記Ｂ方向にスライドされる床下地材７を案内するために、上記柱３ｄ近くの土台１側面にはガイド用受材１０が固定されている。
【００１９】
一方、図１に示すように、上記各間柱４の室内側下端部には、該下端部の隅角部を矩形状に欠き込んでなる間柱欠込み部５が設けられている。この間柱欠込み部５の奥行は、後述する内壁下地受材１２の奥行寸法と略同じ（例えば６０ｍｍ）で、その高さｈは、上記床下地材７の厚さと内壁下地受材１２の厚さとの合計以上の寸法とされている。
【００２０】
そして、図１〜図３に示す如く、上記床下地材７の端部は、その一部が上記各間柱４の間柱欠込み部５の下部に差し入れられ、かつ端部における各床下地材欠込み部８ａ〜８ｄがそれぞれ柱３ａ〜３ｄを嵌め込まれた状態で上記土台１上に載置されて釘やビス等により固定されている。
【００２１】
さらに、上記各間柱欠込み部５において上記床下地材７の端部上の欠込み空間（間柱欠込み部５の上部）には、隣接する柱３ａ〜３ｄ間の長さに切断された内壁下地受材１２が柱３ａ〜３ｄの下部間に位置するように差し込まれ、この各内壁下地受材１２は、柱３ａ〜３ｄ間において床下地材７の端部を挟んだ状態で上記土台１に釘やビス等により一体的に固定されている。内壁下地受材１２の奥行は、後述する内壁下地材１４を固定できる寸法（例えば釘打ち代）であればよいが、間柱欠込み部５の奥行以下の寸法とすれば、内壁下地受材１２の室内側面が間柱４から突出せず、面材からなる内壁下地材１４を施工できる。また、内壁下地受材１２の厚さは２０ｍｍ以上が望ましい。内壁下地受材１２を止める釘やビス等は、同受材１２の厚さよりも長くて土台１に十分に届く長さが必要である。
【００２２】
また、図１及び図２で仮想線にて示すように、床下地材７の端部のうち、床面の周縁に位置する端部近くの上面には耐力面材からなる複数枚の内壁下地材１４，１４，…（１枚のみ図示する）が下端部を床下地材７上面に当接して立設され、この各内壁下地材１４の下端部は上記内壁下地受材１２の側面に釘やねじ等により固定されている。内壁下地材１４の側部は上記各柱３ａ〜３ｄ及び間柱４に直接、同様の固定具により固定され、上部は胴差、梁、軒桁等、土台１の上側に対応して配置した上部横架材の側面に直接固定される。尚、柱３ａ〜３ｄ及び間柱４の上部間（胴差等の上部横架材の下面）に上記内壁下地受材１２と同様な受材を設けて、その受材に内壁下地材１４の上部を固定してもよい。このように間柱４及び内壁下地受材１２の各室内側面を柱３ａ〜３ｄと略面一にすることで、大壁構造とされている。尚、真壁構造とする場合には、間柱４及び内壁下地受材１２の各室内側面が柱３ａ〜３ｄよりも室外側に位置するように間柱４及び内壁下地受材１２の奥行等を変えればよい。また、柱３ａ〜３ｄ及び間柱４の各室内側面に胴縁を取り付けるとともに、この胴縁と同じだけ内壁下地受材１２を室内側に突出させて内壁下地を組み、この下地に内壁下地材１４を取り付けることもできる。
【００２３】
上記内壁下地材１４としては、構造用合板、ＬＶＬ、ＯＳＢ、パーティクルボード、ＭＤＦ等の木質系板材が使用され、この他に石膏ボード、大建工業（株）製の商品名「ダイライト」等の無機質系板材を使用することもできる。
【００２４】
このような内壁下地材１４を固定する固定具としては釘でもよいが、上記した無機質板を使用する場合、ビスやねじ（例えばドリリングタッピングねじＤＴＳＮや十字穴付き皿木ねじＷＳＮで、長さ２５ｍｍ以上、好ましくは下地材の厚さの２．５倍以上のもの）で固定すると、一層良好な耐力を長く発現させることができるので好ましい。また、このビスやねじのピッチは１００〜２００ｍｍがよい。内壁下地材１４を耐力壁にする場合、建築基準法施行令４６条に係る告示１１００号の釘やビスの種類、ピッチによる。
【００２５】
尚、図示しないが、上記内壁下地材１４上にはその継目部がパテで埋められてフラットにされた後、布クロス、樹脂クロス、壁紙等のシート材、又は漆喰、ジュラク壁等の塗り壁が施工される。
【００２６】
したがって、この実施形態の構造を施工する場合、まず、図４に示すように、床下地材７を一方の短辺側、つまり図４上側の土台１に向かうＡ方向にスライドさせて、その先端部を柱３ｄ近くの土台１側面にあるガイド用受材１０に載置する。次いで、この床下地材７を上記ガイド用受材１０により案内しながら、一方の長辺側、つまり上記Ａ方向と直交するＢ方向（図４左側の土台１に向かう方向）にスライドさせ、図５に示すように、床下地材７の端部を、その一部が上記各間柱４の間柱欠込み部５の下部に差し入れられ、かつ端部における各床下地材欠込み部８ａ〜８ｄにそれぞれ柱３ａ〜３ｄが嵌め込まれた状態で上記土台１上に載置し、この床下地材７の端部を釘やビス等により固定する。
【００２７】
そのとき、上記間柱欠込み部５の高さｈは、床下地材７の厚さよりも大きくてそれと内壁下地受材１２の厚さとの合計以上の寸法であるので、床下地材７をＡ方向又はＢ方向にスライドさせてその端部を間柱欠込み部５に差し込む場合、Ａ方向及びＢ方向のいずれでも、図６に示すように、床下地材７を間柱欠込み部５の斜め上方から間柱欠込み部５の開口の高さ分だけ傾けながら差し込むことができる。このため、その差込み作業を行うときの邪魔が少なくて差し込み易くなり、床下地材７の施工性を高めることができる。
【００２８】
このように床下地材７が土台１上に固定された後、図１〜図３に示すように、内壁下地受材１２を柱３ａ〜３ｄの下部間に配置して、その中間部を各間柱欠込み部５の上部、つまり上記床下地材７の端部上の欠込み空間に差し込み、この各内壁下地受材１２を、柱３ａ〜３ｄ間において床下地材７の端部を挟んだ状態で土台１に対し釘やビス等により一体的に固定する。
【００２９】
このように、間柱欠込み部５に差し入れられた床下地材７の端部上の欠込み空間に、柱３ａ〜３ｄの下部間に位置する内壁下地受材１２が差し込まれているので、この内壁下地受材１２は隣接する柱３ａ〜３ｄの下部間の全体に亘って延びる１つのものでよく、この１つの内壁下地受材１２を土台１上面に固定するだけで、柱３ａ〜３ｄ及び間柱４間にそれぞれ同様の受材を配置するのと同じとなる。その結果、間柱４で途切れる受材に比べて施工時間が早くなり、内壁下地受材１２の施工性を良くすることができる。
【００３０】
しかも、柱３ａ〜３ｄ間にその間隔で内壁下地受材１２を配置するので、その内壁下地受材１２による直線性も良好となって床下地材７を取り付けたときに波打つのを抑制することができる。
【００３１】
尚、上記床下地材７の一方の短辺側において、Ｂ方向にスライド移動したときの後側に相当する隅角部の床下地材欠込み部８ｄは、Ｂ方向に沿った短辺方向の長さが対応の柱３ｄの寸法よりも大きいので、図５に示すように、床下地材７が土台１上に載置された状態では、上記欠込み部８ｄと柱３ｄとの間に隙間Ｄが生じる。しかし、この隙間Ｄは、図３に示すように、床下地材７の端部上面に配置される内壁下地受材１２により隠蔽される。
【００３２】
しかる後に、上記床下地材７の端部上面に各内壁下地材１４を下端部が床下地材７上面に当接するように立て、この各内壁下地材１４の下端部を上記内壁下地受材１２の側面に、また側部を上記各柱３ａ〜３ｄ及び間柱４に、さらに上部を上部横架材の側面にそれぞれ固定すればよい。
【００３３】
こうして、内壁下地受材１２に耐力面材からなる内壁下地材１４が下端部を床下地材７上面に当接して固定されているので、内壁下地材１４で受けた荷重は、内壁下地受材１２を介して水平荷重として確実に床面に伝えられることとなり、耐震性の高い構造が得られる。
【００３４】
尚、上記実施形態は、本発明を住宅の１階部分に適用して横架材を土台１とした例であるが、本発明は２階以上の部分にも適用できる。また、横架材は土台１以外に胴差、梁、桁等、軸組構造の横架材であればよい。
【００３５】
【発明の効果】
以上説明した如く、請求項１の発明によると、柱及び間柱が立設された横架材上に床下地材の端部を固定する構造として、間柱の室内側下端部に、床下地材の厚さと内壁下地受材の厚さとの合計以上の高さの間柱欠込み部を形成し、床下地材の端部を、間柱欠込み部に差し入れかつ床下地材側の欠込み部に柱が嵌め込まれた状態で横架材上に配置し、この床下地材の端部上の間柱欠込み部に、柱の下部間に位置しかつ床下地材の端部を挟んだ状態で横架材に固定される内壁下地受材を差し込むようにしたことにより、間柱欠込み部に床下地材の端部を差し込む場合、床下地材を間柱欠込み部の斜め上方から傾けながら差し込むことができ、床下地材の施工性を高めることができる。また、内壁下地受材の施工時間も早くなってその施工性を良くすることができるとともに、その内壁下地受材による直線性も良好となって床下地材の波打ちを抑制することができる。
【００３６】
請求項２の発明によると、内壁下地受材に耐力面材からなる内壁下地材を、その下端部を床下地材上面に当接して固定したことにより、内壁下地材で受けた荷重を内壁下地受材を介して確実に床面に伝えて、耐震性の高い構造を得ることができる。
【図面の簡単な説明】
【図１】本発明の実施形態の床下地材の固定構造を示す側面断面図である。
【図２】床下地材の固定構造を示す正面図である。
【図３】床下地材の固定構造を示す平面図である。
【図４】土台に床下地材を載置する前の施工状態を示す図３相当図である。
【図５】土台上に床下地材を載置した施工状態を示す図３相当図である。
【図６】土台に床下地材を載置する前の施工状態を示す図１相当図である。
【図７】従来の構造を示す図１相当図である。
【図８】従来の構造を示す図２相当図である。
【図９】床下地材の端部を直接横架材に固定する床ダイヤフラム構造を示す斜視図である。
【符号の説明】
１  土台（横架材）
３ａ〜３ｄ  柱
４  間柱
５  間柱欠込み部
７  床下地材
８ａ〜８ｄ  床下地材欠込み部
１２  内壁下地受材
１４  内壁下地材
ｈ  間柱欠込み部の高さ
【図１】
0003869975.tif 000002
【図２】
0003869975.tif 000003
【図３】
0003869975.tif 000004
【図４】
0003869975.tif 000005
【図５】
0003869975.tif 000006
【図６】
0003869975.tif 000007
【図７】
0003869975.tif 000008
【図８】
0003869975.tif 000009
【図９】
0003869975.tif 000010